(57)【要約】流体ディスペンサ    流体ディスペンサであって、  開口部（１０；１０’）が設けられた流体容器（１；１’）であって、前記開口部は、上側端部（１２）と、狭い穴の部分（１１１）および当該狭い穴の部分の下に伸びるリセス部分（１１２）を上側端部の周辺に形作る内壁とを有するネック（１０）によって形成される、という流体容器と、    本体（２０）が設けられた投与部材（２）と、そして、    前記本体を開口部に固定するための固定部材（３；３’）とを有し、  前記固定部材には、開口部の内部に係合する働きをするスカート（３１；３１’）と、本体を囲む形で係合する働きをするスリーブ（３２）とが設けられており、    特徴となるのは、  本体は、スカートを外向きに変形させて開口部に押し付ける形で接触させるカム部分（２０４）を形成しており、スカート（３１）は、最終位置において狭い穴の部分（１１１）と耐漏洩様態で接触する密封ゾーン（３１３）と、最終位置においてリセス部分（１１２）とぴったりと接触する固定ゾーン（３１４）とを有することである、  という前記流体ディスペンサ。
2006502056.tif 000002
【特許請求の範囲】
【請求項１】
流体ディスペンサであって、
開口部（１０；１０’）が設けられた流体容器（１；１’）であって、前記開口部は、上側端部（１２）と、狭い穴の部分（１１１）および当該狭い穴の部分の下に伸びるリセス部分（１１２）を上側端部の周辺に形作る内壁とを有するネック（１０）によって形成される、という流体容器と、
本体（２０）が設けられた投与部材（２）と、そして、
前記本体を開口部に固定するための固定部材（３；３’）とを有し、
前記固定部材には、開口部の内部に係合する働きをするスカート（３１；３１’）と、本体を囲む形で係合する働きをするスリーブ（３２）とが設けられており、
特徴となるのは、
本体は、スカートを外向きに変形させて開口部に押し付ける形で接触させるカム部分（２０４）を形成しており、スカート（３１）は、最終位置において狭い穴の部分（１１１）と耐漏洩様態で接触する密封ゾーン（３１３）と、最終位置においてリセス部分（１１２）とぴったりと接触する固定ゾーン（３１４）とを有することである、
という前記流体ディスペンサ。
【請求項２】
本体（２０）は、直径の大きな部分（２０７）を有し、スリーブ（３２）は、最終的な組み立て位置では、当該直径の大きな部分に耐漏洩様態で係合すること、
を特徴とする請求項１に記載の流体ディスペンサ。
【請求項３】
本体（２０）は、カム部分（２０４）の上で、かつ直径の大きな部分（２０７）の下の位置に中間部分（２０５）を有し、スカート（３１；３１’）は、最終的な組み立て位置では、前記中間部分（２０５）とぴったりと係合し、スカートがカム部分（２０４）と係合する前の段階では、スリーブ（３２）が前記中間位置（２０５）と係合していること、
を特徴とする請求項１または２に記載の流体ディスペンサ。
【請求項４】
本体（２０）は、カム部分（２０４）の下の位置に直径の小さな部分（２０３）を有し、スリーブ（３２）が中間部分（２０５）と係合している際には、スカート（３１；３１’）が直径の小さな部分（２０３）と係合していること、
を特徴とする請求項３に記載の流体ディスペンサ。
【請求項５】
開口部は、ほぼ筒状の内壁を有すること、
を特徴とする請求項１乃至４に記載の流体ディスペンサ。
【請求項６】
スカートには、スロット（３１５）によって隔てられたタブ（３１４）が形成されていること、
を特徴とする請求項１乃至５に記載の流体ディスペンサ。
【請求項７】
本体（２０）は、トップカラー（２０８）を形成しており、スリーブ（３２）は最終位置において当該トップカラーの下に受け接触すること、
を特徴とする請求項１乃至６に記載の流体ディスペンサ。
【請求項８】
スリーブ（３２）は内壁を有し、当該内壁は、中間部分（２０５）とぴったりと係合し、固定部材（３）がネックに挿入される際にその固定部材（３）を本体（２０）の所定位置に保持するよう作られた保持ビード（３２１）を形成していること、
を特徴とする請求項３に記載の流体ディスペンサ。
【請求項９】
スカート（３１）は、内壁を有し、当該内壁には、カム部分（２０４）と係合する働きをするカムビード（３１１）が設けられていること、
を特徴とする請求項１乃至８に記載の流体ディスペンサ。
【請求項１０】
スカート（３１；３１’）には、本体（２０）と接触する下側リップ（３１６）が設けられていること、
を特徴とする請求項１乃至９に記載の流体ディスペンサ。
【請求項１１】
スカート（３１；３１’）は、カムビード（３１１）と下側リップ（３１６）とのみを介して、中間部分（２０５）と接触していること、
を特徴とする請求項９乃至１０に記載の流体ディスペンサ。
【請求項１２】
固定部材（３）には、受け台フランジ（３３）が設けられており、当該受け台フランジは、圧力嵌めされることなく開口部（１０；１０’）に自由に接触する形で働くこと、
を特徴とする請求項１乃至１１に記載の流体ディスペンサ。
【請求項１３】
本体には通気孔（２０９）が設けられており、当該通気孔は、スカートの高さに位置づけられていること、
を特徴とする請求項１乃至１２に記載の流体ディスペンサ。
【発明の詳細な説明】
【技術分野】
【０００１】
本発明は、開口部が設けられた流体容器、本体が設けられた投与部材、そして前記本体を開口部に固定するための固定部材を有する流体ディスペンサに関する。こうした型のディスペンサは、香水、化粧品、または実際、薬の分野において、香水、ローション、クリーム、ゲルなどの流体、そして薬品を液体さらに粉末の様態で投与するためにしばしば利用されている。
【背景技術】
【０００２】
投与部材を容器の開口部に固定するための技術としてはさまざまなものが存在する。そのため、さまざまな型の固定部材が存在し、それらは開口部の内部または開口部の外部のいずれかと協働する。たとえば、圧着式リングやねじ式リングは古くから公知である。これら２つの技術は、投与部材を開口部の外部に固定するのを可能とするものである。また、開口部の外部へのスナップ留めまたはロックを用いた固定部材も公知である。よく知られた形では、外付けスカートの形成されたリングとして実装され、当該スカートに内側には、留めヘッドまたは切れ目のない留めビードが設けられている。スカートについては、切れ目のない形でもよいし、分割されてタブを形成し、当該タブはスロットによって隔てられている、という形でもよい。さらに、開口部は外壁の形作られたネックの形をとり、この外壁の底部には、内側に伸びるショルダーによって形作られた補強部分が設けられている。留めヘッドまたは留めビードは、内側に伸びるショルダーと係合する働きをし、スカートは、その周囲を囲むトリムバンドによって所定位置に取り付けられる。変形例ではさらに、トリムバンドの底部エッジを利用して、スカートの下側部分を物質変形の形で変形させる構成を設け、それが内側に変形されてネックの補強部分の下にくるようにする。
【０００３】
なお、他の型の固定部材も存在し、これらは投与部材を開口部の内部に固定することを可能にするものである。たとえば、固定部材をはめ込んだり、さらに投与部材をストッパの様態で直接開口部にはめ込んだりする、という極めて単純な技術についても触れておく。さらに複雑な技術では、１つまたは複数のリセスを開口部の内壁に設け、当該リセスが、固定部材の突出部分を収容する働きをする。内側のスナップ留めはこうして行われる。このような技術を用いる場合、固定部材を開口部に入れるため、固定部材、さらに時には投与部材を比較的強く押す必要がある。さらに、投与部材を開口部に入れたり圧力嵌めしたりする際には、容器内部の圧力が高くなるが、このことは容器の容量が極めて小さい場合には問題になりうる。
【発明の開示】
【発明が解決しようとする課題】
【０００４】
本発明の目的は、以下に述べるような、開口部の内部に固定するための固定部材を形作ることで、従来技術に関する上記の問題を解消することである。すなわち、この固定部材は、投与部材にほとんどスラスト力を加える必要がなく、容器の内部の圧力が高くなることもない、というものである。さらに、固定は極めて確実である。
【課題を解決するための手段】
【０００５】
こうした目的の達成のために、本発明は、流体ディスペンサであって、開口部が設けられた流体容器であって、前記開口部は、上側端部と、狭い穴の部分および当該狭い穴の部分の下に伸びるリセス部分を上側端部の周辺に形作る内壁とを有するネックによって形成される、という流体容器と、本体が設けられた投与部材と、そして、前記本体を開口部に固定するための固定部材とを有し、前記固定部材には、開口部の内部に係合する働きをするスカートと、本体を囲む形で係合する働きをするスリーブとが設けられており、特徴となるのは、本体は、スカートを外向きに変形させて開口部に押し付ける形で接触させるカム部分を形成しており、スカートは、最終位置において狭い穴の部分と耐漏洩様態で接触する密封ゾーンと、最終位置においてリセス部分とぴったりと接触する固定ゾーンとを有することである、という前記流体ディスペンサを提供する。固定本体は、スカートを最終的な組み立て位置に持ってくるための道具の働きをする。留意すべき点として、スカートは、押さえつけられて接触した位置で開口部と協働し、好ましい構成として、開口部の下方では、容器の中までは伸びていない。開口部が内壁を形作るネックによって形成されている場合には、スカートは前記内壁と協働し、ネックの下方、すなわちネックが容器の本体に接続されているところには伸びていない。
【発明の効果】
【０００６】
効果的な構成として、本体は、直径の大きな部分を有し、スリーブは、最終的な組み立て位置では、当該直径の大きな部分に耐漏洩様態で係合することとする。
また、効果的な構成として、本体は、カム部分の上で、かつ直径の大きな部分の下の位置に中間部分を有し、スカートは、最終的な組み立て位置では、前記中間部分とぴったりと係合し、スカートがカム部分と係合する前の段階では、スリーブが前記中間位置と係合していることとする。
【０００７】
また、効果的な構成として、本体は、カム部分の下の位置に直径の小さな部分を有し、スリーブが中間部分と係合している際には、スカートが直径の小さな部分と係合していることとする。したがって、スリーブは、最初にはめられ、本体の中間部分の所定位置に一時的に保持されるが、それから本体に沿って移動させられ、直径の大きな部分にかぶさる形で係合し、これによって、スリーブは当該直径の大きな部分との間に耐漏洩様態のぴったりとした係合状態を作り出し、これは最終的な組み立て位置に一致する。さらに、スカートは、最初は直径の小さな部分において本体にかぶさる形で係合しているが、それからカム部分を越え、中間部分と係合する最終的な組み立て位置に達するまで、本体に沿って移動される。当然のことながら、カム部分と中間部分とが１つに成形された部分（たとえば円錐台状の形）を形成している、という形も考えられる。
【０００８】
変形例において、開口部は、ほぼ筒状の内壁を有することとする。この場合、スカートのうち開口部の筒状の内壁に押し当てられる部分が、密封と固定との両方を行う。
具体的な実施の形態において、スカートには、スロットによって隔てられたタブが形成されていることとする。この場合、スカートに形成されたタブが保証するのは、固定のみである。一方、密封については、分割されていなくても、開口部の内壁に接して変形させられるスカートの上側部分によって実現される。
【０００９】
また、本発明の別の側面において、本体は、トップカラーを形成しており、スリーブは最終位置において当該トップカラーの下に受け接触することとする。
また、本発明の別の特徴によれば、最終的な組み立て位置に達する前はスリーブは内壁を有し、当該内壁は、中間部分とぴったりと係合し、固定部材がネックに挿入される際にその固定部材を本体の所定位置に保持するよう作られた保持ビードを形成していることとする。
【００１０】
また、スカートは、内壁を有し、当該内壁には、カム部分と係合する働きをするカムビードが設けられていることとする。
また、別の側面において、スカートには、本体と接触する下側リップが設けられていることとする。
この場合、スカートは、カムビードと下側リップとのみを介して、中間部分と接触することにしてもよい。
【００１１】
また、別の特徴によれば、固定部材には、受け台フランジが設けられており、当該受け台フランジは、圧力嵌めされることなく開口部に自由に接触する形で働くこととする。したがって、投与部材は、スリーブが中間位置に、そしてスカートが直径の小さな部分の位置にある状態で、固定部材に前もってはめ入れることもできる。こうした部分組み立て品は、耐漏洩様態で接触させたり摩擦を生じさせたりすることなく、容易に開口部に挿入して、最終的には、受け台フランジが開口部に受け台接触する状態にすることができる。したがって、容器の内部で圧力が高まることはない。
【発明を実施するための最良の形態】
【００１２】
以下、本発明の２つの実施の形態を非限定的な例として示す添付図面を参照しながら、本発明に関してさらに詳しい説明をする。
まず、図１乃至４を参照し、本発明の第１の実施の形態について説明する。断片的に示されたディスペンサは、３つの構成部品、すなわち、容器の内部に通じる開口部を形作るネック１０が形成されている容器１と、投与部材２（ポンプまたは弁としてもよい）と、そして、投与部材２をネック１０に固定することを可能にする固定部材３とから成る。
【００１３】
第１の実施の形態において、容器１は、特に香水の分野では一般的にガラスで作られボトルとして使用される容器とすることができる。容器のネック１０は、環状の上側端部壁１２を有し、効果的な構成として、当該環状の上側端部壁には密封プロフィール１２２を設けることもできる。ネック１０はさらに、入り口の斜角部１２１を介して端部壁１２に接続している内壁１１を有する。内壁１１には、入り口の斜角部１２１の下の所に、狭い穴の部分１１１が形成されており、当該狭い穴の部分は、効果的な構成として筒状としてもよい。内壁１１のうち、狭い穴の部分１１１の下の所には、リセス部分１１２が形成されており、このリセス部分の内径は、狭い穴の部分１１１の内径よりも大きい。内壁１１１のうち、リセス部分１１２の下の所には、丸みつけ部分１１３が形成されており、当該丸みつけ部分は、ネック１０を容器の本体（図示せず）に接続することを可能とするショルダーの内壁に接続している。部分１１３の内径は、部分１１２の内径よりも小さく、効果的な構成としてさらに、部分１１１の内径よりも小さい。これは、完全に従来どおりの、吹きガラスで作られた容器のネックの場合の設計である。
【００１４】
投与部材２は本体２０を有し、ロッド２１の上側端部に設置されたプッシャ２２を押せば、前記本体の中で駆動ロッド２１を移動することができる。本体２０の下側端部には、入り口を形作る入り口スリーブ２０１が形作られており、容器の内部を本体２０の内部に通じさせることを可能とする。スリーブ２０１の上には、本体が移行部分２０２を形成しており、当該移行部分は円錐台状および／あるいは筒状に外向きに張り出している。移行部分２０２の上には、本体は直径の小さな筒状の部分２０３を形成している。この部分２０３は、その上側でカム部分２０４に接続しており、この例において、部分２０４は外向きかつ上向きに張り出す形で円錐台状となっている。カム部分２０４の先では、本体は筒状の中間部分２０５を形成している。この部分２０５の上には、本体は接合部分２０６を形成しており、この例において、部分２０６は外向きかつ上向きに張り出している。接合部分２０６の上に、本体は、効果的な構成として筒の形状をした、直径の大きな部分２０７を形成している。最後に、直径の大きな部分２０７の上に、本体は、外向きに突き出したトップカラー２０８を形成している。要約すれば、本体２０は、３つの主要な筒状の部分２０３、２０５、２０７を順に直径が大きくなる形で形成しており、これらの部分は、接合部分２０６またはカム部分２０４を介して接続されている。
【００１５】
この例において、固定部材３は、下側にスカート３１が、上側にスリーブ３２が、そしてスリーブ３２がスカート３１に接続する位置に径方向外向きに伸びる受け台フランジ３３が設けられたリングの様態をしている。
スカート３１は、完全に切れ目がないようにしてもよいが、好ましい構成として、少なくとも当該スカートの高さの一部にわたって切れ目を入れ、途切れのない上側マージン３１３から、図１、２、または３に示すように、スロット３１５によって分離されたタブ３１４が伸びている、という形にするのがよい。スカートは、タブ３１４を形成する位置に、外側突出部３１２の形成された外壁を形作っている。突出部３１２の位置におけるスカートの直径は、切れ目のない上側マージン３１３の位置におけるスカートの直径よりも大きい。スカートは、突出部３１２の下でほぼ円錐状に先細りになっている。また、スカート３１は、タブ３１４の位置において、下側端部にリップ３１６が形成された内壁を形作っている。さらに、スカート３１の内壁にはビード３１１が形成されており、当該ビードは、たとえばそれぞれのタブ３１４に形成され、輪状線に沿う形で配置された一連の隆起の様態とすることができる。同じことは、リップ３１６にもあてはまり、リップも同様に、タブ３１４の下側端部に配置された一連の補強部分とすることができる。当然のことながら、切れ目のないリップ３１６および切れ目のないビード３１６を備えた切れ目のないスカートを使うこともできる。ビード３１１は、後述するように、カム機能を有する。
【００１６】
スリーブ３２は、環状の上側自由端３２２と保持ビード３２１が形作られた内壁とを有する。
さらに、受け台フランジ３３は、効果的な構成として、環状のリセス３３１を形成しており、当該環状のリセスは、ネック１０の上側端部壁１２に形成された密封プロフィール１２２を収容する働きをする。
【００１７】
以下、図１を参照し、リングをネック１０に固定するのに先立って、固定リング３を最初に本体２０にかぶさる形で係合させる方法を説明する。スリーブ３２は、本体２０の中間部分２０５の上にはめられる。保持ビード３２１は、中間部分２０５とぴったりと係合している。したがって、ビード３２１の内径は、部分２０５の外径よりもわずかに小さくなっており、一方、スリーブ３２の内壁のうち他の部分の内径は、部分２０５の外径よりも少し大きくなっていてもよい。したがって、スリーブ３２は、保持ビード３２１の位置においてのみ部分２０５と接触している。受け台フランジ３３の下から出ているスカート３１は、部分的に中間位置２０５に伸びているが、カム部分２０４と直径の小さな部分２０３との位置においても伸びている。図１から見てとれるように、スカートに形成されたタブ３１４は、全体が、カム部分２０４および直径の小さな部分２０３の位置において伸びている。カムビード３１１は、カム部分２０４の位置に置かれているが、当該カム部分と接触はしていない。下側リップ３１３は、効果的な構成として、直径の小さな部分２０３と接触しているが隙間があいている。途切れのない上側マージン３１３だけが中間部分２０５の位置にあるが、当該部分２０５とは接触していない。上側マージン３１３の内壁は、保持ビード３２１の位置においてのみ中間部分２０５と接触するスリーブ３２の内壁と一直線上に伸びている。固定リング３が投与部材の本体２０にかぶさる形で係合されるのは、この初期状態の組立前位置においてである。
【００１８】
固定リングと投与部材２とは、このような形で一時的な単一ユニットを形成し、当該単一ユニットをネック１０にはめ入れると、スカート３１はネック１０に入り込み、最終的には受け台フランジ３３がネックの上側端部１２に載る形となる。好ましい構成として、外側突出部３１２の位置におけるスカート３１の最大の外径は、狭い穴の部分１１１の位置におけるネックの最小の内径と等しいか、あるいはわずかにそれより小さくなっている。結果として、スカート３１は、過度の摩擦を起こしたり過度の力を加えたりすることなくネック１０にはめることができる。しかし、極めて小さな圧力を加えることによってスカートをネック１０にはめられるように、スカート３１の突出部３１２の外径が、狭い穴の部分の内径よりもほんの少し大きくなっている、という形も考えられる。いずれにせよ、スカートをネックにはめるために必要となる力は、中間部分２０５の位置で保持ビード３２１から加えられる保持力よりも大きくなってはいけない。固定部材３は、スカート３１がネック１０にはめられ、受け台フランジ３３がネック１０に受け止められた状態となるまで、図１に示す最初の位置を保つ必要がある。この状態は、図２に示されている。
【００１９】
第３の組み立てステップは、スラスト力Fを投与部材、すなわちそのプッシャまたはカラー２０８に加える、というものである。その力がビード３２１によって加えられる保持力を上回るとすぐに、ポンプ本体２０は固定リング３の内部を移動する。第１段階において、カムビード３１１は、本体２０のカム表面２０４と接触する。これによってスカートは、外向きに変形または拡張させられて、ネック１０の内壁に押し付けられる形で接触する。当然のことながら、スカート３１の外径を拡張させるのは、表面２０４によって実現されるカム作用である。カムビード３１１は、ほぼタブ３１４が上側マージン３１３に接続する位置にあるため、上側マージン３１３とタブ３１４との両方が拡張による変形を受ける。留意すべき点として、下側リップ３１６は、この時点ではまだ直径の小さな部分２０３の位置にある。スラスト力Fを投与部材に加え続けることによって、投与部材の本体２０は、固定リング３の内部を移動し続ける。スリーブ３２はそれから、耐漏洩様態のぴったりした接触をしながら本体２０の直径の大きな部分にはまっていく。したがって、スリーブ３２の内径は、直径の大きな部分２０７の外径よりもわずかに小さくしておくのが好ましい。スリーブ３２が直径の大きな部分２０７の上にはまっていくのと同じタイミングで、最初は直径の小さな部分２０３の位置にあったリップ３１６は、カム部分２０４の先まで移動し、中間部分２０５に達する。さらに、リップ３１６が直径の小さな部分２０３から中間部分２０５まで進むことで、拡張によるスカートの変形が生じ、それによってスカートの外径は、特にその突出部３１２においてさらに大きくなる。最終位置に達するのは、図３および４に示すように、スリーブ３２の上側端部３２２がカラー２０８の下に受け台接触する時点である。
【００２０】
見てとれるように、スリーブ３２のみが直径の大きな部分２０の位置で係合されており、筒状の密封状態を実現している。スカート３１は、全体的に中間部分２０５の位置にある。さらに見てとれるように、スカート３１の内壁は、カムビード３１１と下側リップ３１６とのみにおいて、部分２０５と接触している。その他の全ての部分では、スカートと中間部分２０５との間には隙間が残っている。カムビード３１１と下側リップ３１６とによって、スカートは外向きに拡張し、ネックの内壁１１と２つの段階で耐漏洩様態の隙間なく接触した状態となる。その２つの段階とはすなわち、カムビード３１１がカム部分２０４と係合し、最終的に中間部分２０５の高さに達する第１段階と、リップ３１６が同じ行程をたどる第２段階とである。カムビード３１１は、スカートを、具体的に言えばその上側マージン３１３とタブ３１４の上側端部とにおいて拡張させ、一方で、リップ３１６は、主にタブの下側端部を拡張させる。容易に理解できるように、ビード３１１とリップ３１６との間に位置する突出部３１２は、２つの連続した段階において拡張を受け、この拡張は、カムビード３１１、それからリップ３１６がカム部分２０４を越えて上がり、中間部分２０５に達する際に引き起こされる。さらに、上側マージン３１３は、途切れがなく、狭い穴の部分１１１とぴったりと接触するため、前記マージンは環状または筒状の密閉ゾーンを形作る。拡張されたタブ３１４は、保持機能およびロック機能のみを果たすことができる。
【００２１】
図５乃至７を参照する。これらの図は変形例の実施の形態を示す図である。この実施の形態において、投与部材２は、図１乃至４の投与部材と全く同じものとすることができる。本体２０には、同様に段差をつけるか、あるいは、少なくとも直径の小さな部分、カム部分、中間部分、そして直径の大きな部分を設ければよい。
この例において、容器１’はネック１０’を有し、当該ネックは、容器の高さ全体を覆う形でほぼ筒状となっている内壁１１を有する。ネック１０’の上側端部壁は、先述した実施の形態の上側端部壁と同じものにしてもよい。したがって、ネック１０’の内壁１１’にリセス部分はない。
【００２２】
固定部材３’は、先述した実施の形態の上側スリーブおよび受け台フランジと全く同じ上側スリーブ３２と受け台フランジ３３とを有することにしてもよい。一方、スカート３１’は、先述した実施の形態のスカートと以下の点において異なる。それは、ほぼ筒状の外壁と上側カムショルダー３１１’の形成された内壁とを有し、当該ショルダーは、最初の組み立て前の状態では、カム部分２０４のすぐ下の位置にある、という点である。このことは、図５および６から見てとれる。カムショルダー３１１’は、先述した実施の形態のカムビード３１１と同様に作用する。スカート３１’は、大きな力を加えなくてもネック１０’の内部にはめることができる。たとえば、スカート３１’の外径は、ネック１０’の内壁１１’の内径よりもわずかに小さい。そのため、スカート３１’は、受け台フランジ３３がネック１０’の上側端部と受け接触するまでネック１０’に挿入することができる。この状態は図６に示されている。その時点で、カムショルダー３１１’は、必ずカム部分２０４の下の位置にある。圧力が投与部材２に加えられると、カムショルダー３１１’は、カム部分２０４と係合し、その後、中間部分２０５に上がっていく。この動きは、スカート３１’を拡張させ、それによって内壁１１’との耐漏洩様態でのぴったりした接触を生じさせる。投与部材２を固定部材３’に押し込み続けることによって、先述した実施の形態のように、スリーブ３２は直径の大きな部分２０７上を上がっていき、最終的にその上側端部を介して本体２０のカラー２０８の下に受け接触する、という形にすることができる。スカート３１’にはさらに下側リップ３１６が設けられているため、前記リップもまた、カム部分２０４を越えて上がり、中間部分２０５に達する。また、リップ３１６も上がっていく際に拡張を引き起こし、この拡張は、スカート３１’の壁１１’との耐漏洩様態のぴったりとした係合を増進したり補助したりする。
【００２３】
この実施の形態において、固定部材３’の固定と密封とは、筒状の部材同士の耐漏洩様態でのぴったりとした接触によって得られる。先述した実施の形態において、ネック１０の内壁１１に形成されたリセス部分１１２はまた、狭い穴の部分１１１の下で固定またはロックを行う。これは、周辺突出物３１２の存在によって容易にされる。
【図面の簡単な説明】
【００２４】
【図１】本発明のディスペンサの第１の実施の形態を組み立てる３つの連続的なステップのうち１つを示す図である。
【図２】本発明のディスペンサの第１の実施の形態を組み立てる３つの連続的なステップのうち１つを示す図である。
【図３】本発明のディスペンサの第１の実施の形態を組み立てる際の３つの連続的なステップのうち１つを示す図である。
【図４】図３の細部を拡大した図である。
【図５】本発明の第２の実施の形態に関する、図１と同様の図である。
【図６】本発明の第２の実施の形態に関する、図２と同様の図である。
【図７】本発明の第２の実施の形態に関する、図３と同様の図である。
【図１】
2006502056.tif 000003
【図２】
2006502056.tif 000004
【図３】
2006502056.tif 000005
【図４】
2006502056.tif 000006
【図５】
2006502056.tif 000007
【図６】
2006502056.tif 000008
【図７】
2006502056.tif 000009
【国際調査報告】
2006502056.tif 000010
2006502056.tif 000011
2006502056.tif 000012
2006502056.tif 000013
2006502056.tif 000014
2006502056.tif 000015